(57)【要約】【課題】  送信側と受信側との間のクロストークを抑制する。【解決手段】  送信側光モジュール２のモジュールケース１２と、受信側光モジュール３のモジュールケース１７とが、それぞれ、金属ブロック６に形成されている別々の孔部に差し込まれて金属ブロック６に装着されている構成を備えた光送受信モジュール１において、送信側光モジュール２のモジュールケース１２と、受信側光モジュール３のモジュールケース１７とのうちの一方又は両方は、金属ブロック６の孔部に挿入されて金属ブロック６に溶接接合される金属ケース部分と、この金属ケース部分に一体的に設けられ金属ブロック６の外側に位置して電気−光変換部を囲繞する基部側ケース部分とを有する。その基部側ケース部分には、金属ブロック６と電気−光変換部との間のモジュールケース１２を介した電気的なノイズの導通を遮断するための絶縁ケース部分３１を設ける。【選択図】        図２
2006220942.tif 000002
【特許請求の範囲】
【請求項１】
電気信号を光信号に変換して光出力する光送信用の電気−光変換部の光出力側がモジュールケースに覆われている構成を持つ送信側光モジュールと、受光した光信号を電気信号に変換して出力する光受信用の電気−光変換部の光入力側がモジュールケースに覆われている構成を持つ受信側光モジュールと、送信側光モジュールと受信側光モジュールの両方が取り付けられる中空の金属ブロックとを有し、金属ブロックには、送信側光モジュールのモジュールケースが嵌まる孔部と、受信側光モジュールのモジュールケースが嵌まる孔部とがそれぞれ形成され、送信側光モジュールのモジュールケースと、受信側光モジュールのモジュールケースとは、それぞれ、金属ブロックの対応する前記孔部に差し込まれて金属ブロックに装着されている構成を備えた光送受信モジュールにおいて、送信側光モジュールのモジュールケースと、受信側光モジュールのモジュールケースとのうちの一方又は両方は、金属ブロックの孔部に挿入されて金属ブロックに溶接接合される金属ケース部分と、この金属ケース部分に一体的に設けられ金属ブロックの外側に位置して電気−光変換部の配置領域を囲繞する基部側ケース部分とを有して構成され、その基部側ケース部分には、金属ブロックと電気−光変換部との間のモジュールケースを介した電気的なノイズの導通を遮断するための絶縁ケース部分が介設されていることを特徴とする光送受信モジュール。
【請求項２】
リング状の絶縁部材が両側からリング状の金属部材により挟み込まれ当該絶縁部材とその両側の金属部材が一体化してノイズ遮断用のリング部材が構成されており、当該ノイズ遮断用のリング部材がモジュールケースに組み込まれ当該リング部材の絶縁部材がモジュールケースの基部側ケース部分の絶縁ケース部分と成していることを特徴とする請求項１記載の光送受信モジュール。
【請求項３】
ノイズ遮断用のリング部材の絶縁部材により構成される絶縁ケース部分の両側の金属部材間を電気的に接続させるための導通経路が絶縁ケース部分の表面に設けられ、当該導通経路には電気的なノイズをカットするフィルターが介設されていることを特徴とする請求項２記載の光送受信モジュール。
【請求項４】
フィルターは、絶縁ケース部分の表面に形成された導体パターンにより構成されていることを特徴とする請求項３記載の光送受信モジュール。
【発明の詳細な説明】
【技術分野】
【０００１】
本発明は、電気信号を光信号に変換して出射する光送信の機能と、光信号を電気信号に変換し当該電気信号を出力する光受信の機能とを両方共に行うことができる光送受信モジュールに関するものである。
【背景技術】
【０００２】
図１２には、光送受信モジュールの一形態例が模式的な断面図により示されている。この光送受信モジュール１は、送信側光モジュール２と、受信側光モジュール３と、光合分波用のフィルタ４と、フェルール５と、中空の金属ブロック６とを有して構成されている。
【０００３】
送信側光モジュール２は、基台１０と、この基台１０上に設けられ電気信号を光信号に変換して光出力する発光素子（例えば発光ダイオード（ＬＤ））を備えた光送信用の電気−光変換部１１と、この電気−光変換部１１の光出力側を覆うモジュールケース１２と、モジュールケース１２に設けられた光出射用のレンズ１３と、外部から電気−光変換部１１に電気信号を伝達するための電気信号入力用の端子１４とを有して構成されている。
【０００４】
受信側光モジュール３は、基台１５と、この基台１５上に設けられ光信号を電気信号に変換して出力する受光素子（例えばフォトダイオード（ＰＤ））を備えた光受信用の電気−光変換部１６と、この電気−光変換部１６の光入力側を覆うモジュールケース１７と、モジュールケース１７に設けられた光入射用のレンズ１８と、電気−光変換部１６から出力された電気信号を外部に伝達するための電気信号出力用の端子１９とを有して構成されている。
【０００５】
フェルール５は光ファイバ２１の先端部に設けられるものであり、当該フェルール５の端面に光ファイバ２１の端面が露出している。光ファイバ２１には、送信側光モジュール２から出力された光信号と、この光信号とは異なる波長を持ち受信側光モジュール３に向かう光信号とが伝搬される。光合分波用のフィルタ４は、送信側光モジュール２から光ファイバ２１への送信用の光信号と、光ファイバ２１から受信側光モジュール３への受信用の光信号との波長の違いを利用して、送信用の光信号と受信用の光信号を分波するものである。つまり、フィルタ４は、送信側光モジュール２から出射された光信号を反射して光ファイバ２１に入射させ、また、光ファイバ２１から受信側光モジュール３に向けて出射された光信号を透過して受信側光モジュール３に導くものである。
【０００６】
金属ブロック６の内部空間部にはフィルタ４が配設され、また、金属ブロック６には、送信側光モジュール２と、受信側光モジュール３と、フェルール５とが取り付けられて送信側光モジュール２と受信側光モジュール３とフィルタ４とフェルール５が組み合わされている。つまり、金属ブロック６には、送信側光モジュール２のモジュールケース１２が嵌まる孔部２３と、受信側光モジュール３のモジュールケース１７が嵌まる孔部２４と、フェルール５が嵌まる孔部２５とが形成されている。送信側光モジュール２のモジュールケース１２と、受信側光モジュール３のモジュールケース１７とは、それぞれ、金属ブロック６の対応する孔部２３，２４に差し込まれて金属ブロック６に固定され、また、フェルール５も金属ブロック６の対応する孔部２５に差し込まれて金属ブロック６に固定されている。
【０００７】
金属ブロック６に固定される送信側光モジュール２と受信側光モジュール３とフェルール５は、送信側光モジュール２から出射された光信号がフィルタ４で反射されて光ファイバ２１に入射し、かつ、光ファイバ２１から出射された光信号がフィルタ４を介して受信側光モジュール３に入射するように、位置合わせが成されている。
【０００８】
この図１２に示される光送受信モジュール１は上記のように構成されている。この光送受信モジュール１では、例えば、送信側光モジュール２の端子１４を介して光送信用の電気−光変換部１１に電気信号が入力すると、電気−光変換部１１がその電気信号を光信号に変換して出射する。この送信側光モジュール２から出射された光信号はフィルタ４で光ファイバ２１に向けて反射されて、光ファイバ２１に入射し光ファイバ２１により伝搬される。また、光ファイバ２１を伝搬してきて当該光ファイバ２１から出射された光信号は、フィルタ４を介して受信側光モジュール３に入射し、受信側光モジュール３の電気−光変換部１６で電気信号に変換される。電気−光変換部１６で変換された電気信号は端子１９を介して外部に出力される。
【０００９】
【特許文献１】特開２００３−２１５４０３号公報
【特許文献２】特開２０００−３０４９８５号公報
【発明の開示】
【発明が解決しようとする課題】
【００１０】
ところで、送信側光モジュール２と受信側光モジュール３の各電気−光変換部１１，１６には電気回路が設けられている。また、送信側光モジュール２と受信側光モジュール３の各モジュールケース１２，１７は金属により構成されることがある。モジュールケース１２，１７が金属により構成される場合には、送信側光モジュール２と受信側光モジュール３の各電気−光変換部１１，１６の電気回路は金属から成るモジュールケース１２，１７がグランドと成す。
【００１１】
それらモジュールケース１２，１７がそれぞれ金属ブロック６に溶接接合されて金属ブロック６に電気的に短絡した状態になると、モジュールケース１２，１７間は金属ブロック６を介して電気的に接続された状態となる。この場合には、例えば、送信側の電気信号に起因したノイズ（例えば電気信号に起因したグランド電位変動）が送信側光モジュール２のモジュールケース１２から金属ブロック６を介して受信側光モジュール３のモジュールケース１７（つまり、受信側光モジュール３のグランド）に伝達されてしまって、受信側光モジュール３の電気−光変換部１６の回路動作に悪影響を与える。通常、受信側光モジュール３の電気−光変換部１６の電気信号は、送信側光モジュール２の電気−光変換部１１の電気信号に比べて、格段に微弱であることから、送信側光モジュール２側から金属ブロック６を介して受信側光モジュール３にノイズが伝搬されてしまうクロストークは大きな問題となっている。
【００１２】
本発明は上記課題を解決するために成されたものであり、その目的は、送信側光モジュール側と受信側光モジュール側との間の電気的なノイズの導通を抑制して、クロストーク問題の発生を抑えることができる光送受信モジュールを提供することにある。
【課題を解決するための手段】
【００１３】
上記目的を達成するために、この発明は次に示す構成をもって前記課題を解決するための手段としている。すなわち、この発明は、電気信号を光信号に変換して光出力する光送信用の電気−光変換部の光出力側がモジュールケースに覆われている構成を持つ送信側光モジュールと、受光した光信号を電気信号に変換して出力する光受信用の電気−光変換部の光入力側がモジュールケースに覆われている構成を持つ受信側光モジュールと、送信側光モジュールと受信側光モジュールの両方が取り付けられる中空の金属ブロックとを有し、金属ブロックには、送信側光モジュールのモジュールケースが嵌まる孔部と、受信側光モジュールのモジュールケースが嵌まる孔部とがそれぞれ形成され、送信側光モジュールのモジュールケースと、受信側光モジュールのモジュールケースとは、それぞれ、金属ブロックの対応する前記孔部に差し込まれて金属ブロックに装着されている構成を備えた光送受信モジュールにおいて、送信側光モジュールのモジュールケースと、受信側光モジュールのモジュールケースとのうちの一方又は両方は、金属ブロックの孔部に挿入されて金属ブロックに溶接接合される金属ケース部分と、この金属ケース部分に一体的に設けられ金属ブロックの外側に位置して電気−光変換部の配置領域を囲繞する基部側ケース部分とを有して構成され、その基部側ケース部分には、金属ブロックと電気−光変換部との間のモジュールケースを介した電気的なノイズの導通を遮断するための絶縁ケース部分が介設されていることを特徴としている。
【発明の効果】
【００１４】
この発明によれば、送信側光モジュールのモジュールケースと、受信側光モジュールのモジュールケースとのうちの一方又は両方には、金属ブロックと電気−光変換部との間のモジュールケースを介した電気的なノイズの導通を遮断する絶縁ケース部分が設けられている構成とした。すなわち、送信側光モジュールの電気−光変換部からモジュールケースと金属ブロックを介して受信側光モジュールの電気−光変換部に至るまでの電気的な経路上に、絶縁ケース部分が介設されている構成を有している。このため、そのモジュールケースの絶縁ケース部分によって、送信側光モジュール側と、受信側光モジュール側との間のモジュールケースを介した電気的なクロストークの問題発生を抑制することができる。
【００１５】
このように電気的なクロストークに起因した電気−光変換部のノイズ問題を防止できることから、電気的な回路動作に対する信頼性が高い光送受信モジュールを提供することができる。
【００１６】
また、リング状の絶縁部材が両側からリング状の金属部材により挟み込まれ当該絶縁部材とその両側の金属部材が一体化されて成るノイズ遮断用のリング部材が、モジュールケースに組み込まれ当該リング部材の絶縁部材がモジュールケースの基部側ケース部分の絶縁ケース部分と成している構成を備えることにより、モジュールケースに絶縁ケース部分を設けることが容易になる。また、リング部材の絶縁部材の両側に金属部材を配置させることにより、その絶縁部材の両側の金属部材の一方側は金属ブロックに溶接接合する部分として用いることができ、また、他方側の金属部材はノイズ遮断用のリング部材をモジュールケースに組み込むためや電気−光変換部側と接合するための溶接接合用として用いることができる。
【００１７】
ノイズ遮断用のリング部材における絶縁部材（絶縁ケース部分）の両側の金属部材間を電気的に接続させるための導通経路が絶縁部材（絶縁ケース部分）の表面に設けられ、当該導通経路には電気的なノイズをカットするためのフィルタが介設されている構成を持つことにより、より確実に電気的なクロストーク問題を抑制することができる。すなわち、絶縁ケース部分の両側にはそれぞれ金属部材が設けられており、その両側の金属部材により等価的なコンデンサが形成されて直流のノイズはカットすることができる。また、絶縁部材の両側の金属部材間を電気的に接続する導通経路には例えばコイル等がノイズカット用のフィルタとして介設されている構成とすることにより、交流のノイズをカットすることができる。すなわち、直流と交流の両方のノイズをカットすることができる。これにより、より確実にクロストーク問題を防止することができるようになる。
【００１８】
ノイズ遮断用のリング部材の絶縁ケース部分に設けられるフィルタは、絶縁ケース部分の表面に形成された導体パターンにより構成されている構成を持つことにより、フィルタとして電子部品を搭載する場合に比べて、フィルタの形成が容易になるし、また、嵩張りを回避することができる。
【発明を実施するための最良の形態】
【００１９】
以下に、この発明に係る実施形態例を図面に基づいて説明する。なお、以下に述べる実施形態例の説明において、図１２に示される光送受信モジュールと同一構成部分には同一符号を付し、その共通部分の重複説明は省略する。
【００２０】
この第１実施形態例の光送受信モジュール１は、図２のモデル図に示されるように、送信側光モジュール２と、受信側光モジュール３と、光合分波用のフィルタ４と、フェルール５と、それら送信側光モジュール２と受信側光モジュール３と光合分波用のフィルタ４とフェルール５を組み合わせる金属ブロック６とを有して構成されている。なお、この例では、フェルール５はフェルールホルダー２７に先端側を突き出した状態でもって収容固定されており、フェルールホルダー２７から突き出しているフェルール部分が金属ブロック６の対応する孔部に差し込まれフェルールホルダー２７が金属ブロック６に例えば溶接接合してフェルール５が金属ブロック６に固定されている。
【００２１】
第１実施形態例では、送信側光モジュール２のモジュールケース１２にノイズ遮断用のリング部材３０が嵌め込まれ一体化されている。そのノイズ遮断用のリング部材３０は、図１（ａ）の斜視図および図１（ｂ）の上面図に示されるように、例えばセラミックスやフェライト等のリング状の絶縁材料３１と、その両側に配設される同形状のリング状の金属部材３２（３２ａ，３２ｂ）とを有して構成されている。絶縁部材３１とその両側の金属部材３２（３２ａ，３２ｂ）は接合され一体化している。絶縁部材３１と金属部材３２の接合手法は、使用状況や、光送受信モジュール１に対して要求される性能等を考慮して適宜設定されるものであり、例えば、ろう付けにより絶縁部材３１と金属部材３２を接合してもよいし、接着剤を用いて絶縁部材３１と金属部材３２を接合してもよい。
【００２２】
この第１実施形態例では、送信側光モジュール２のモジュールケース１２は、金属ブロック６の孔部に挿入されて金属ブロック６に溶接接合される金属ケース部分と、この金属ケース部分に一体的に設けられ金属ブロック６の外側に位置して電気−光変換部１１の配設領域を囲繞する基部側ケース部分とを有して構成されている。この第１実施形態例では、ノイズ遮断用のリング部材３０はモジュールケース１２の基部側ケース部分を構成している。また、リング部材３０の金属ブロック６側の金属部材３２ａは金属ブロック６に溶接接合される構成であり、その金属部材３２ａの一部分はモジュールケース１２の金属ケース部分を構成している。さらに、リング部材３０の絶縁部材３１は、金属ブロック６と電気−光変換部１１との間のモジュールケース１２を介した電気的なノイズの導通を遮断するための絶縁ケース部分と成っている。さらにまた、金属部材３２ｂは基台１０に溶接接合されている。
【００２３】
この第１実施形態例では、モジュールケース１２に絶縁部材（絶縁ケース部分）３１が上記のように組み込まれたので、送信側光モジュール２の電気−光変換部１１の電気回路に起因した電気的なノイズがモジュールケース１２を介して金属ブロック６に伝達されようとしても、モジュールケース１２の絶縁ケース部分（絶縁部材３１）によって、その伝達は遮断されることとなる。これにより、送信側光モジュール２側から受信側光モジュール３側への電気的なクロストークを抑制することができる。
【００２４】
なお、この第１実施形態例では、ノイズ遮断用のリング部材３０が送信側光モジュール２のモジュールケース１２に組み込まれる例を示したが、例えば、図３のモデル図に示されるように、送信側光モジュール２のモジュールケース１２に代えて、ノイズ遮断用のリング部材３０を受信側光モジュール３のモジュールケース１７に上記同様に組み込んでもよい。つまり、この場合には、モジュールケース１７は、金属ブロック６の孔部に挿入されて金属ブロック６に溶接接合される金属ケース部分と、この金属ケース部分に一体的に設けられ金属ブロック６の外側に位置して電気−光変換部１６の配設領域を囲繞する基部側ケース部分とを有して構成され、その基部側ケース部分はリング部材３０により構成されている。
【００２５】
また、リング部材３０の金属ブロック側の金属部材３２（３２ａ）は金属ブロック６に溶接接合される構成であり、その金属部材３２ａの一部分はモジュールケース１７の金属ケース部分を構成している。さらに、リング部材３０の絶縁部材３１は、受信側光モジュール３の電気−光変換部１６と金属ブロック６との間のモジュールケース１７を介したノイズの導通を遮断する絶縁ケース部分と成っている。このように受信側光モジュール３のモジュールケース１７にノイズ遮断用のリング部材３０を設けることにより、上記同様に、送信側光モジュール２側と受信側光モジュール３との間のクロストークを抑制することができる。
【００２６】
また、図４に示すように、送信側光モジュール２と受信側光モジュール３の両方のモジュールケース１２，１７にそれぞれノイズ遮断用のリング部材３０を設けてもよい。この場合には、送信側光モジュール２と受信側光モジュール３の両方にノイズ遮断用のリング部材３０が設けられるので、より確実にクロストークを抑制することができる。
【００２７】
さらに、送信側光モジュール２と受信側光モジュール３の一方又は両方にノイズ遮断用のリング部材３０を設けるだけでなく、図５に示されるように、フェルールホルダー２７にも上記同様のリング部材３０を設けてもよい。図５の例では、リング部材３０の金属ブロック側の金属部材３２ａが金属ブロック６に溶接接合されてフェルールホルダー２７を金属ブロック６に固定している。
【００２８】
以下に、第２実施形態例を説明する。なお、この第２実施形態例の説明において、第１実施形態例と同一構成部分には同一符号を付し、その共通部分の重複説明は省略する。
【００２９】
この第２実施形態例では、図６の上面図に示されるように、ノイズ遮断用のリング部材３０において、絶縁部材３１の表面には、絶縁部材３１の両側の金属部材３２ａ，３２ｂ間をつなぐ導通経路である配線パターン３４が形成されている。この配線パターン３４には分断部３５が設けられており、この分断部３５を跨いで当該分断部３５の両側の配線パターン部分にそれぞれ導通接続するチップ部品３６が搭載されている。この第２実施形態例では、チップ部品３６は、交流のノイズをカットすることができるフィルターであり、例えば、コイルが内蔵されたコイル部品や、フェライトビーズ等の適宜なフィルター部品がチップ部品３６として設けられている。チップ部品３６としてコイル部品が設けられている場合には、ノイズ遮断用のリング部材３０は、図６（ｂ）に示すような等価回路を持つこととなる。この等価回路におけるコンデンサは、絶縁部材３１を介して対向し合う金属部材３２ａ，３２ｂにより構成されるものであり、直流のノイズをカットすることができる。
【００３０】
上記以外の構成は第１実施形態例と同様である。
【００３１】
以下に、第３実施形態例を説明する。なお、この第３実施形態例の説明において、第１や第２の各実施形態例と同一構成部分には同一符号を付し、その共通部分の重複説明は省略する。
【００３２】
この第３実施形態例では、ノイズ遮断用のリング部材３０の絶縁部材３１はフェライトにより構成されており、当該絶縁部材３１の表面には、図７に示されるように、導体パターン３８が直接的に形成されている。この導体パターン３８は、絶縁部材３１の両側の金属部材３２ａ，３２ｂ間を接続する導通経路を構成すると共に、その導通経路の途中の部分は例えばコイルパターンと成して、ノイズをカットするフィルターを構成している。
【００３３】
なお、導体パターン３８により構成されるフィルターのパターン形状は、図７に示される形状に限定されるものではなく、例えば、図８に示されるようなミアンダ状のコイルパターン形状であってもよいし、図９に示されるようなリング部材３０を周回する巻線状のコイルパターン形状であってもよい。
【００３４】
上記以外の構成は第１や第２の各実施形態例と同様である。
【００３５】
なお、この発明は第１〜第３の各実施形態例の形態に限定されるものではなく、様々な実施の形態を採り得る。例えば、第１〜第３の各実施形態例では、ノイズ遮断用のリング部材３０を構成している絶縁部材３１は１つであったが、例えば、図１０に示されるように複数のリング状の絶縁部材３１（３１ａ，３１ｂ）がリング状の金属部材３３を介して間接的に、又は、複数のリング状の絶縁部材３１が直接的に接合し、その絶縁部材３１の集合体の両側にそれぞれ金属部材３２ａ，３２ｂが配設されている構成としてもよい。また、複数の絶縁部材３１が設けられる場合には、それら絶縁部材３１は同じ絶縁材料により構成されていてもよいし、互いに異なる材料により構成されていてもよい。
【００３６】
また、第２や第３の各実施形態例では、絶縁部材３１の表面には、ノイズをカットするためのフィルターとして１つの部品あるいは１つの導体パターンが形成されていたが、例えば、図１０に示されるように複数の部品や、複数の導体パターンを組み合わせてフィルターを構成してもよい。図１０の例では、絶縁部材３１ａはセラミックスにより構成され、当該絶縁部材３１ａの表面に形成された配線パターン３４の分断部３５にはコンデンサ部品４０が搭載されている。また、絶縁部材３１ｂはフェライトにより構成され、当該絶縁部材３１ｂの表面に形成された配線パターン３４の分断部３５にはフェライトビーズ４１が搭載されている。コンデンサ部品４０とフェライトビーズ４１は電気的に直列に接続されてフィルターを構成している。
【００３７】
さらに、第１〜第３の各実施形態例では、ノイズ遮断用のリング部材３０を構成する絶縁部材３１と金属部材３２（３２ａ，３２ｂ）は、それぞれ、等幅なリング状であったが、例えば、図１１に示されるように、絶縁部材３１と金属部材３２（３２ａ，３２ｂ）が互いに噛み合うような形状となっていてもよい。このような形状とすることにより、絶縁部材３１と金属部材３２（３２ａ，３２ｂ）を一体的に接合させる工程において、絶縁部材３１と金属部材３２（３２ａ，３２ｂ）の位置合わせが容易となり、ノイズ遮断用のリング部材３０の製造の手間を軽減することができる。
【００３８】
さらに、第１〜第３の各実施形態例では、ノイズ遮断用のリング部材３０をモジュールケース１２，１７に組み込み、リング部材３０の絶縁部材３１がモジュールケース１２，１７の絶縁ケース部分を構成していたが、他の態様によりモジュールケース１２，１７に絶縁ケース部分を設ける構成としてもよい。
【図面の簡単な説明】
【００３９】
【図１】第１実施形態例において特有な構成であるノイズ遮断用のリング部材の一形態例を説明するための図である。
【図２】第１実施形態例の光送受信モジュールを簡略的に表したモデル図である。
【図３】図１に示されるノイズ遮断用のリング部材を受信側光モジュールのモジュールケースに設けた構成例を説明するためのモデル図である。
【図４】図１に示されるノイズ遮断用のリング部材を受信側光モジュールのモジュールケースおよび送信側光モジュールのモジュールケースに設けた構成例を説明するためのモデル図である。
【図５】図１に示されるノイズ遮断用のリング部材を受信側光モジュールのモジュールケースおよび送信側光モジュールのモジュールケースおよびフェルールホルダーに設けた構成例を説明するためのモデル図である。
【図６】第２実施形態例において特有な構成部分を説明するための図である。
【図７】第３実施形態例において特有な構成部分を説明するための図である。
【図８】コイルパターンの一変形例を表したモデル図である。
【図９】コイルパターンの別の一変形例を表したモデル図である。
【図１０】その他の実施形態例を説明するための図である。
【図１１】さらに別のその他の実施形態例を説明するための図である。
【図１２】光送受信モジュールの一形態例を説明するための図である。
【符号の説明】
【００４０】
１  光送受信モジュール
２  送信側光モジュール
３  受信側光モジュール
４  フィルタ
５  フェルール
６  金属ブロック
１１，１６  電気−光変換部
１２，１７  モジュールケース
【図１】
2006220942.tif 000003
【図２】
2006220942.tif 000004
【図３】
2006220942.tif 000005
【図４】
2006220942.tif 000006
【図５】
2006220942.tif 000007
【図６】
2006220942.tif 000008
【図７】
2006220942.tif 000009
【図８】
2006220942.tif 000010
【図９】
2006220942.tif 000011
【図１０】
2006220942.tif 000012
【図１１】
2006220942.tif 000013
【図１２】
2006220942.tif 000014